【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
光学システムであって、
反射体であって、
光入力開口部と、
光出力開口部と、
前記光入力開口部と前記光出力開口部との間に延在する反射内部側壁と
を備える、反射体と、
前記反射体の前記光出力開口部に近接するフーリエ変換レンズであって、前記フーリエ変換レンズは、前記反射体から光を受信し、前記反射体からの前記光を、前記反射体から受信された前記光に対して増加した空間均一性を有するレンズ出力光に変換するように構成される、フーリエ変換レンズと
を備える、光学システム。
【請求項２】
光エミッタを前記反射体の前記光入力開口部にさらに備える、請求項１に記載の光学システム。
【請求項３】
前記光エミッタは、発光ダイオードである、請求項２に記載の光学システム。
【請求項４】
前記反射体は、反射体のアレイのうちの１つであり、前記反射体のアレイ内の各反射体は、関連付けられたレンズをその反射体の出力開口部の前方に有する、請求項１に記載の光学システム。
【請求項５】
前記反射体のアレイは、一体型本体内の開口部の側壁によって形成される、請求項４に記載の光学システム。
【請求項６】
前記反射体は、反射体のグループを形成し、各グループの反射体は、他のグループの反射体と比較して、そのグループ内の反射体の前記光入力開口部と前記光出力開口部との間に異なる長さを有する、請求項４に記載の光学システム。
【請求項７】
前記反射体の前記光入力開口部と前記光出力開口部との間の長さは、各反射体と関連付けられた光源によって放出される光の波長に応じて変動する、請求項６に記載の光学システム。
【請求項８】
前記反射体と関連付けられた光源は、光源のグループを形成し、各グループは、異なる波長範囲の光を放出する、請求項７に記載の光学システム。
【請求項９】
前記光源は、光源の３つまたはそれを上回るグループを形成する、請求項７に記載の光学システム。
【請求項１０】
前記光源は、光源の３つのグループを形成し、前記グループの第１のものは、赤色光を放出し、前記グループの第２のものは、緑色光を放出し、前記グループの第３のものは、青色光を放出する、請求項９に記載の光学システム。
【請求項１１】
前記反射体のアレイ内の各反射体に関連付けられたレンズを通して前記反射体のアレイによって出力された光を受信するように構成される光変調デバイスをさらに備える、請求項４に記載の光学システム。
【請求項１２】
前記光変調デバイスは、前記フーリエ変換レンズから１つの焦点距離に位置付けられる、請求項１１に記載の光学システム。
【請求項１３】
前記反射体のアレイ内の反射体ごとの前記関連付けられたレンズは、関連付けられた光源から１つの焦点距離上に位置付けられる、請求項１１に記載の光学システム。
【請求項１４】
前記光変調デバイスは、液晶ディスプレイ（ＬＣＤ）またはデジタル光処理（ＤＬＰ）ディスプレイを備える、請求項１１に記載の光学システム。
【請求項１５】
導波管のスタックをさらに備え、各導波管は、前記光変調デバイスからの光を受信するように構成される光内部結合光学要素を備える、請求項１１に記載の光学システム。
【請求項１６】
各導波管の光内部結合光学要素は、前記スタックの中への前記光の伝搬軸に沿って見られるように、他の導波管の光内部結合光学要素から空間的にオフセットされる、請求項１５に記載の光学システム。
【請求項１７】
前記反射体の空間配列は、平面図に見られるように、前記光内部結合光学要素の空間配列と１対１で対応する、請求項１６に記載の光学システム。
【請求項１８】
前記導波管のスタックの各導波管は、前記導波管のスタックの他の導波管の少なくともいくつかと比較して異なる発散量を伴う光を出力するように構成される光外部結合光学要素を備える、請求項１５に記載の光学システム。
【請求項１９】
前記側壁は、前記反射体の高さに沿って延在する中央平面に沿って得られる断面に見られるように、ある曲率の複合放物面型集光器（ＣＰＣ）を有し、前記中央平面は、相互に直交する、請求項１に記載の光学システム。
【請求項２０】
２つの対向内部側壁のＣＰＣ曲率は、前記内部側壁のうちのその他のもののＣＰＣ曲率と異なる、請求項１７に記載の光学システム。
【請求項２１】
前記内部側壁のうちのその他のものは、同一ＣＰＣ曲率を有する、請求項２０に記載の光学システム。
【請求項２２】
前記側壁のそれぞれは、前記反射体の高さに沿って延在する軸に対して横方向の平面に沿って得られる断面に見られるように、実質的に線形のプロファイルを有する、請求項２０に記載の光学システム。
【請求項２３】
前記側壁は、前記光入力端部から前記光出力端部まで実質的に線形に延在する、請求項１に記載の光学システム。
【請求項２４】
前記側壁は、実質的に角度が均一な光出力を提供するように成形され、前記レンズは、前記実質的に角度が均一な光出力を実質的に空間的に均一な光出力に変換するように構成される、請求項１に記載の光学システム。
【請求項２５】
前記反射体は、偶数の側壁から成る、請求項１に記載の光学システム。
【請求項２６】
前記反射体は、８つまたはそれを上回る側壁を備える、請求項１に記載の光学システム。
【請求項２７】
前記反射体の前記光出力開口部は、第２の軸より第１の軸に沿って広い形状を有する、請求項１に記載の光学システム。
【請求項２８】
前記光出力開口部は、楕円形形状を有する、請求項２７に記載の光学システム。
【請求項２９】
前記光出力開口部は、前記第１の軸に沿って直線辺および前記第２の軸に沿って湾曲辺を伴う、形状を有する、請求項２７に記載の光学システム。
【請求項３０】
前記反射体の前記光出力開口部および光入力開口部は、異なる形状を有する、請求項２７に記載の光学システム。
【請求項３１】
前記反射体からの光出力がマスクに向かって指向されるように前記マスクを反射体の前方にさらに備え、前記マスクは、前記光出力開口部と整合されるマスク開口部を有し、前記マスク開口部は、前記光出力開口部と異なる形状または異なるサイズのうちの１つまたはそれを上回るものを有する、請求項１に記載の光学システム。
【請求項３２】
前記マスクは、前記レンズからの光出力がマスクに向かって指向されるように前記レンズの前方にある、請求項３１に記載の光学システム。
【手続補正２】
【補正対象書類名】明細書
【補正対象項目名】０００６
【補正方法】変更
【補正の内容】
【０００６】
光学システムはさらに、レンズを通して反射体によって出力された光を受信するように構成される、光変調デバイスを備えてもよい。光学システムはまた、導波管のスタックをさらに備えてもよく、各導波管は、光変調デバイスからの光を受信するように構成される、光内部結合光学要素を備える。各導波管の光内部結合光学要素は、スタックの中への光の伝搬軸に沿って見られるように、他の導波管の光内部結合光学要素から空間的にオフセットされてもよい。反射体の空間配列は、平面図に見られるように、光内部結合光学要素の空間配列と１対１で対応および整合してもよい。
本発明は、例えば、以下を提供する。
（項目１）
光学システムであって、
反射体であって、
光入力開口部と、
光出力開口部と、
前記光入力開口部と前記光出力開口部との間に延在する反射内部側壁と
を備える、反射体と、
前記反射体の光出力開口部に近接するレンズと
を備える、光学システム。
（項目２）
光エミッタを前記反射体の光入力開口部にさらに備える、項目１に記載の光学システム。
（項目３）
光源は、発光ダイオードである、項目２に記載の光学システム。
（項目４）
前記反射体は、反射体のアレイのうちの１つであり、各反射体は、関連付けられたレンズを前記反射体の出力開口部の前方に有する、項目１に記載の光学システム。
（項目５）
前記反射体のアレイは、一体型本体内の開口部の側壁によって形成される、項目４に記載の光学システム。
（項目６）
前記反射体は、反射体のグループを形成し、各グループの反射体は、他のグループの反射体と比較して、前記反射体の光入力開口部と光出力開口部との間に異なる長さを有する、項目４に記載の光学システム。
（項目７）
前記反射体の長さは、各反射体と関連付けられた光源によって放出される光の波長に応じて変動する、項目６に記載の光学システム。
（項目８）
前記反射体と関連付けられた光源は、光源のグループを形成し、各グループは、異なる波長範囲の光を放出する、項目７に記載の光学システム。
（項目９）
前記光源は、光源の３つまたはそれを上回るグループを形成する、項目７に記載の光学システム。
（項目１０）
前記光源は、光源の３つのグループを形成し、前記グループの第１のものは、赤色光を放出し、前記グループの第２のものは、緑色光を放出し、前記グループの第３のものは、青色光を放出する、項目９に記載の光学システム。
（項目１１）
前記レンズを通して前記反射体によって出力された光を受信するように構成される光変調デバイスをさらに備える、項目４に記載の光学システム。
（項目１２）
前記光変調デバイスは、液晶ディスプレイ（ＬＣＤ）またはデジタル光処理（ＤＬＰ）ディスプレイを備える、項目１１に記載の光学システム。
（項目１３）
導波管のスタックをさらに備え、各導波管は、前記光変調デバイスからの光を受信するように構成される光内部結合光学要素を備える、項目１１に記載の光学システム。
（項目１４）
各導波管の光内部結合光学要素は、前記スタックの中への前記光の伝搬軸に沿って見られるように、他の導波管の光内部結合光学要素から空間的にオフセットされる、項目１３に記載の光学システム。
（項目１５）
前記反射体の空間配列は、平面図に見られるように、前記光内部結合光学要素の空間配列と１対１で対応する、項目１４に記載の光学システム。
（項目１６）
前記導波管のスタックの各導波管は、前記導波管のスタックの他の導波管の少なくともいくつかと比較して異なる発散量を伴う光を出力するように構成される光外部結合光学要素を備える、項目１３に記載の光学システム。
（項目１７）
前記側壁は、前記反射体の高さに沿って延在する中央平面に沿って得られる断面に見られるように、ある曲率の複合放物面型集光器（ＣＰＣ）を有し、前記中央平面は、相互に直交する、項目１に記載の光学システム。
（項目１８）
２つの対向内部側壁のＣＰＣ曲率は、前記内部側壁のうちのその他のもののＣＰＣ曲率と異なる、項目１８に記載の光学システム。
（項目１９）
前記内部側壁のうちのその他のものは、同一ＣＰＣ曲率を有する、項目１８に記載の光学システム。
（項目２０）
前記側壁のそれぞれは、前記反射体の高さに沿って延在する軸に対して横方向の平面に沿って得られる断面に見られるように、実質的に近いプロファイルを有する、項目１８に記載の光学システム。
（項目２１）
前記側壁は、前記光入力端部から前記光出力端部まで実質的に線形に延在する、項目１に記載の光学システム。
（項目２２）
前記側壁は、実質的に角度が均一な光出力を提供するように成形され、前記レンズは、前記実質的に角度が均一な光出力を実質的に空間的に均一な光出力に変換するように構成される、項目１に記載の光学システム。
（項目２３）
前記反射体は、偶数の側壁から成る、項目１に記載の光学システム。
（項目２４）
前記反射体は、８つまたはそれを上回る側壁を備える、項目１に記載の光学システム。
（項目２５）
前記反射体の光出力開口部は、第２の軸より第１の軸に沿って広い形状を有する、項目１に記載の光学システム。
（項目２６）
前記光出力開口部は、楕円形形状を有する、項目２５に記載の光学システム。
（項目２７）
前記光出力開口部は、前記第１の軸に沿って直線辺および前記第２の軸に沿って湾曲辺を伴う、形状を有する、項目２５に記載の光学システム。
（項目２８）
前記反射体の光出力開口部および光入力開口部は、異なる形状を有する、項目２５に記載の光学システム。
（項目２９）
マスクを反射体の前方にさらに備え、前記マスクは、前記光出力開口部と整合されるマスク開口部を有し、前記マスク開口部は、前記光出力開口部と異なる形状または異なるサイズのうちの１つまたはそれを上回るものを有する、項目１に記載の光学システム。
（項目３０）
前記マスクは、前記レンズの前方にある、項目２９に記載の光学システム。